(57)【要約】      （修正有）【課題】待機消費電力を低減することができる待機回路、該待機回路を有するソケット、プラグ及び装置を提供する。【解決手段】待機回路１０は、消費電力調整器５０、該消費電力調整器と負荷との間に接続される消費電力検出回路及びＨＩＣモジュール２０を備える。消費電力検出回路は負荷の電力を検出する。ＨＩＣモジュール２０は、消費電力検出回路によって負荷に対応する電力を出力して、消費電力調整器５０の作動状態を制御する。ＨＩＣモジュール２０が負荷の電力が予め設定された範囲内であると検出した場合、ＨＩＣモジュール２０は遮断制御信号を消費電力調整器５０に送信して消費電力調整器５０は遮断状態になる。本考案は、更に待機ソケット、プラグ及び装置を提供する。本考案の待機回路、該待機回路を有するソケット、プラグ及び装置は、本考案の待機回路を有していない家電装置或いは家電商品の消費電力を更に低減し、省エネルギーの効果をもたらす。【選択図】図１
0003211607.tif 000002
【実用新案登録請求の範囲】
【請求項１】
待機回路において、前記待機回路は、
交流入力電源に接続され、且つ遮断状態或いは接続状態で作動する消費電力調整器と、
負荷の電力を検出する消費電力検出回路と、ＨＩＣモジュールと、を備え、
前記ＨＩＣモジュールは第一通信インターフェイス及び第二通信インターフェイスを備え、
前記ＨＩＣモジュールは前記第一通信インターフェイスによって、第一指令信号或いは第二指令信号を受信したかどうかを判断し、
前記第一通信インターフェイスによって、前記第一指令信号或いは前記第二指令信号を受信していない場合、前記ＨＩＣモジュールは前記第二通信インターフェイスによって、前記第一指令信号或いは前記第二指令信号を受信し、
前記ＨＩＣモジュールは前記消費電力検出回路が出力する前記負荷に対応する電力によって前記消費電力調整器の作動状態を制御し、
前記ＨＩＣモジュールが前記負荷の電力が予め設定された範囲内であると検出した場合、前記ＨＩＣモジュールは遮断制御信号を前記消費電力調整器に送信し、前記消費電力調整器は遮断状態になることを特徴とする待機回路。
【請求項２】
前記ＨＩＣモジュールが前記第一指令信号を受信した場合、前記ＨＩＣモジュールは、前記消費電力検出回路が出力した電力によって、前記負荷の作動状態を判断し、
前記負荷が動作状態である場合、前記ＨＩＣモジュールは第一予め設定された時間を遅延し、遮断制御信号を前記消費電力調整器に送信し、
前記負荷が待機状態である場合、前記ＨＩＣモジュールは遮断制御信号を前記消費電力調整器に送信し、
前記ＨＩＣモジュールが前記第二指令信号を受信した場合、前記ＨＩＣモジュールは接続制御信号を前記消費電力調整器に送信して、前記消費電力調整器は接続状態になることを特徴とする請求項１に記載の待機回路。
【請求項３】
前記ＨＩＣモジュールが前記遮断制御信号を送信した場合、前記ＨＩＣモジュールはスリープモードになり、前記ＨＩＣモジュールが前記第二指令信号を受信した場合、前記ＨＩＣモジュールは動作モードになることを特徴とする請求項２に記載の待機回路。
【請求項４】
前記ＨＩＣモジュールが前記接続制御信号を前記消費電力調整器に送信した場合、前記ＨＩＣモジュールは第二予め設定された時間を遅延し、前記消費電力検出回路によって前記負荷の電力を取得し、且つ前記負荷の消費電力が予め設定された範囲の上限値より大きいかどうかを判断し、
前記負荷の消費電力が予め設定された範囲の上限値より小さい場合、前記ＨＩＣモジュールは警報情報を出力することを特徴とする請求項３に記載の待機回路。
【請求項５】
前記ＨＩＣモジュールは、ＭＣＵ主制御部及びゲート回路を備え、前記ＭＣＵ主制御部は受信した第一指令信号或いは第二指令信号によって、前記ゲート回路に対応する制御信号を前記ゲート回路に送信し、
前記第一指令信号に対応する前記ゲート回路の制御信号を受信した場合、前記ゲート回路は前記遮断制御信号を前記消費電力調整器に送信し、
前記第二指令信号に対応する前記ゲート回路の制御信号を受信した場合、前記ゲート回路は前記接続制御信号を前記消費電力調整器に送信することを特徴とする請求項２〜４の何れか一項に記載の待機回路。
【請求項６】
前記ＨＩＣモジュールは、更に電圧調整回路及び隔離電源回路を備え、前記隔離電源回路は、交流電流を直流電流に切り替え、前記第二指令信号を受信した場合、前記電圧調整回路は前記隔離電源回路が出力した直流電流に対して、電圧調整操作を行い、且つ前記ＭＣＵ主制御部に始動電流を提供することを特徴とする請求項５に記載の待機回路。
【請求項７】
前記ＭＣＵ主制御部は始動電流を受信し、前記ＭＣＵ主制御部は前記ゲート回路を制御して前記接続制御信号を前記消費電力調整器に送信し、前記負荷は動作状態になることを特徴とする請求項６に記載の待機回路。
【請求項８】
前記消費電力検出回路はカレントトランスを備え、前記カレントトランスの一次巻線は前記交流入力電源と前記負荷との間に接続され、前記カレントトランスの二次巻線の両端はそれぞれ前記ＨＩＣモジュールに接続され、前記負荷に対応する誘導電流が発生し、前記ＨＩＣモジュールは前記カレントトランスが入力した誘導電流に基づいて、前記負荷の電力を計算することを特徴とする請求項１に記載の待機回路。
【請求項９】
前記第一通信インターフェイスは赤外線受信機に接続され、前記第二通信インターフェイスは、外部赤外線受信機に接続されることを特徴とする請求項１に記載の待機回路。
【請求項１０】
前記待機回路は、更に赤外線発射機を備え、前記ＨＩＣモジュールは、前記赤外線発射機によって、信号を延期して送信することを特徴とする請求項１に記載の待機回路。
【請求項１１】
前記消費電力調整器は双方向サイリスタを備え、前記双方向サイリスタの第一陽極及び第二陽極は交流入力電源に接続され、前記双方向サイリスタの制御電極は前記ＨＩＣモジュールに接続され、前記ＨＩＣモジュールが送信した遮断制御信号を受信した場合、前記双方向サイリスタは遮断状態になり、前記ＨＩＣモジュールが送信した接続制御信号を受信した場合、前記双方向サイリスタは接続状態になることを特徴とする請求項１に記載の待機回路。
【請求項１２】
前記消費電力調整器は更にＲＣ回路を備え、前記ＲＣ回路は抵抗及び静電容量を備え、前記抵抗と前記静電容量とは直列に接続され、前記双方向サイリスタの第一陽極及び第二陽極と並列に接続されることを特徴とする請求項１１に記載の待機回路。
【請求項１３】
待機ソケットにおいて、
前記待機ソケットは導電接続部及び少なくとも一つのソケットユニットを備え、前記少なくとも一つのソケットユニットは前記導電接続部に接続され、前記少なくとも一つのソケットユニットは、複数の導電片、ソケット孔及び請求項１〜１２の何れか一項に記載の待機回路を備え、前記複数の導電片は導電接続部に結合し、前記待機回路は前記導電接続部と前記複数の導電片との間に設置され、前記待機回路中の消費電力検出回路は前記複数の導電片によって前記負荷の電力を検出することを特徴とする待機ソケット。
【請求項１４】
待機プラグにおいて、
前記待機プラグは複数の導電端子及び請求項１〜１２の何れか一項に記載の待機回路を備え、前記複数の導電端子は前記交流入力電源と前記負荷との間で結合し、前記待機回路中の消費電力検出回路は前記複数の導電端子によって前記負荷の電力を検出することを特徴とする待機プラグ。
【請求項１５】
待機装置において、
前記待機装置は、
負荷と、
交流入力電源に接続され、且つ遮断状態或いは接続状態で作動する消費電力調整器と、
負荷の電力を検出する消費電力検出回路と、ＨＩＣモジュールと、を備え、
前記ＨＩＣモジュールは第一通信インターフェイス及び第二通信インターフェイスを備え、
前記ＨＩＣモジュールは前記第一通信インターフェイスによって、第一指令信号或いは第二指令信号を受信したかどうかを判断し、
前記第一通信インターフェイスによって前記第一指令信号或いは前記第二指令信号を受信していない場合、前記ＨＩＣモジュールは前記第二通信インターフェイスによって、前記第一指令信号或いは前記第二指令信号を受信し、
前記ＨＩＣモジュールは前記消費電力検出回路が出力する前記負荷に対応する電力によって前記消費電力調整器の作動状態を制御し、
前記ＨＩＣモジュールが前記負荷の電力が予め設定された範囲内であると検出した場合、前記ＨＩＣモジュールは遮断制御信号を前記消費電力調整器に送信して、前記消費電力調整器は遮断状態になることを特徴とする待機装置。
【請求項１６】
前記ＨＩＣモジュールが前記第一指令信号を受信した場合、前記ＨＩＣモジュールは前記消費電力検出回路が出力した電力によって前記負荷の作動状態を判断し、
前記負荷が動作状態である場合、前記ＨＩＣモジュールは第一予め設定された時間を遅延し、遮断制御信号を前記消費電力調整器に送信し、
前記負荷が待機状態である場合、前記ＨＩＣモジュールは遮断制御信号を前記消費電力調整器に送信し、
前記ＨＩＣモジュールが前記第二指令信号を受信した場合、前記ＨＩＣモジュールは接続制御信号を前記消費電力調整器に送信して、前記消費電力調整器は接続状態になることを特徴とする請求項１５に記載の待機装置。
【請求項１７】
前記ＨＩＣモジュールが前記遮断制御信号を送信した場合、前記ＨＩＣモジュールはスリープモードになり、前記ＨＩＣモジュールが前記第二指令信号を受信した場合、前記ＨＩＣモジュールは動作モードになることを特徴とする請求項１6に記載の待機装置。
【請求項１８】
前記ＨＩＣモジュールが前記接続制御信号を前記消費電力調整器に送信した場合、前記ＨＩＣモジュールは第二予め設定された時間を遅延し、前記消費電力検出回路によって前記負荷の電力を取得し、且つ前記負荷の消費電力が予め設定された範囲の上限値より大きいかどうかを判断し、
前記負荷の消費電力が予め設定された範囲の上限値より小さい場合、前記ＨＩＣモジュールは警報情報を出力することを特徴とする請求項１７に記載の待機装置。
【請求項１９】
前記ＨＩＣモジュールは、ＭＣＵ主制御部、電圧調整回路及びゲート回路を備え、前記ＭＣＵ主制御部は受信した第一指令信号或いは第二指令信号に基づいて、前記ゲート回路に対応する制御信号を前記ゲート回路に送信し、
前記第一指令信号に対応する前記ゲート回路の制御信号を受信した場合、前記ゲート回路は前記遮断制御信号を前記消費電力調整器に送信し、
前記第二指令信号に対応する前記ゲート回路の制御信号を受信した場合、前記ゲート回路は前記接続制御信号を前記消費電力調整器に送信することを特徴とする請求項１６〜１８の何れか一項に記載の待機装置。
【請求項２０】
前記ＨＩＣモジュールは、更に電圧調整回路及び隔離電源回路を備え、前記隔離電源回路は、交流電流を直流電流に切り替え、前記第二指令信号を受信した場合、前記電圧調整回路は前記隔離電源回路が出力した直流電流に対して、電圧調整操作を行い、且つ前記ＭＣＵ主制御部に始動電流を提供することを特徴とする請求項１９に記載の待機装置。
【請求項２１】
前記ＭＣＵ主制御部が始動電流を受信し、前記ＭＣＵ主制御部は前記ゲート回路を制御し、前記接続制御信号を前記消費電力調整器に送信して、前記負荷は動作状態になることを特徴とする請求項２０に記載の待機装置。
【請求項２２】
前記消費電力検出回路はカレントトランスを備え、前記カレントトランスの一次巻線は前記交流入力電源と前記負荷との間で接続され、前記カレントトランスの二次巻線の両端はそれぞれ前記ＨＩＣモジュールに接続され、前記負荷に対応する誘導電流が発生し、前記ＨＩＣモジュールは前記カレントトランスが入力した誘導電流によって前記負荷の電力を計算することを特徴とする請求項１５に記載の待機装置。
【請求項２３】
前記第一通信インターフェイスは赤外線受信機に接続され、前記第二通信インターフェイスは外部赤外線受信機に接続されることを特徴とする請求項１５に記載の待機装置。
【請求項２４】
更に赤外線発射機を備え、前記ＨＩＣモジュールは、前記赤外線発射機によって、信号を延期して送信することを特徴とする請求項１５に記載の待機装置。
【請求項２５】
前記消費電力調整器は双方向サイリスタを備え、前記双方向サイリスタの第一陽極及び第二陽極は交流入力電源に接続され、前記双方向サイリスタの制御電極は前記ＨＩＣモジュールに接続され、前記ＨＩＣモジュールが送信した遮断制御信号を受信した場合、前記双方向サイリスタは遮断状態になり、前記ＨＩＣモジュールが送信した接続制御信号を受信した場合、前記双方向サイリスタは接続状態になることを特徴とする請求項１５に記載の待機装置。
【請求項２６】
前記消費電力調整器は更にＲＣ回路を備え、前記ＲＣ回路は抵抗及び静電容量を備え、前記抵抗と前記静電容量とは直列に接続され、前記双方向サイリスタの第一陽極及び第二陽極と並列に接続されることを特徴とする請求項２５に記載の待機装置。
【考案の詳細な説明】
【技術分野】
【０００１】
本考案は、家電機器の省エネルギーを制御する技術領域に関し、特に待機回路、該待機回路を有するソケット、プラグ及び装置に関するものである。
【背景技術】
【０００２】
経済の発展と共に生活は便利になっており、家庭において家電機器は重要な一部になっている。現在多くの家電機器に無線赤外線のリモートコントロール技術が利用されている。即ち、赤外線の通信機能を利用して、家電機器の電源オン／オフ或いは他の機能を制御する。これにより、人々の生活に多くの利便性をもたらしている。しかし、現在の家電機器、例えば、テレビ、エアコン、扇風機、冷蔵庫、洗濯機、オーディオ装置等の各種の家電機器やオフィス機器の待機消費電力は１Ｗ〜３Ｗの範囲内にあり、長期間で大量の電気エネルギーを浪費してしまうため、省エネルギーや環境保護に影響を与える。
【考案の概要】
【考案が解決しようとする課題】
【０００３】
以上の問題点に鑑みて、本考案は、待機消費電力を低減することができる待機回路、該待機回路を有するソケット、プラグ及び装置を提供することを目的とする。
【課題を解決するための手段】
【０００４】
上記の課題を解決するために、本考案の待機回路は、交流入力電源に接続され、且つ遮断状態或いは接続状態で作動する消費電力調整器と、負荷の電力を検出する消費電力検出回路と、ＨＩＣモジュールと、を備え、ＨＩＣモジュールは、第一通信インターフェイス及び第二通信インターフェイスを備え、ＨＩＣモジュールは、第一通信インターフェイスによって、第一指令信号或いは第二指令信号を受信したかどうかを判断し、第一通信インターフェイスによって第一指令信号或いは第二指令信号を受信していない場合、ＨＩＣモジュールは第二通信インターフェイスによって、第一指令信号或いは第二指令信号を受信し、ＨＩＣモジュールは消費電力検出回路が出力する負荷に対応する電力によって、消費電力調整器の作動状態を制御し、ＨＩＣモジュールが負荷の電力が予め設定された範囲内であると検出した場合、ＨＩＣモジュールは遮断制御信号を消費電力調整器に送信し、消費電力調整器は遮断状態になる。
【０００５】
上記の課題を解決するために、本考案の待機ソケットは、導電接続部及び少なくとも一つのソケットユニットを備え、各ソケットユニットは、待機回路、複数の導電片及びソケット孔を備え、複数の導電片は導電接続部に結合し、待機回路は導電接続部と複数の導電片との間に設置され、待機回路は交流入力電源に接続され、且つ遮断状態或いは接続状態で作動する消費電力調整器と、負荷の電力を検出する消費電力検出回路と、ＨＩＣモジュールと、を備え、ＨＩＣモジュールは第一通信インターフェイス及び第二通信インターフェイスを備え、ＨＩＣモジュールは第一通信インターフェイスによって、第一指令信号或いは第二指令信号を受信したかどうかを判断し、第一通信インターフェイスによって第一指令信号或いは第二指令信号を受信していない場合、ＨＩＣモジュールは第二通信インターフェイスによって、第一指令信号或いは第二指令信号を受信し、ＨＩＣモジュールは消費電力検出回路が出力する負荷に対応する電力によって、消費電力調整器の作動状態を制御し、ＨＩＣモジュールが負荷の電力が予め設定された範囲内であると検出した場合、ＨＩＣモジュールは遮断制御信号を消費電力調整器に送信て、消費電力調整器は遮断状態になる。
【０００６】
上記の課題を解決するために、本考案の待機プラグは、交流入力電源と負荷との間で結合する複数の導電端子及び待機回路を備え、待機回路は交流入力電源に接続され、且つ遮断状態或いは接続状態で作動する消費電力調整器と、負荷の電力を検出する消費電力検出回路と、ＨＩＣモジュールと、を備え、ＨＩＣモジュールは第一通信インターフェイス及び第二通信インターフェイスを備え、ＨＩＣモジュールは第一通信インターフェイスによって、第一指令信号或いは第二指令信号を受信したかどうかを判断し、第一通信インターフェイスによって第一指令信号或いは第二指令信号を受信していない場合、ＨＩＣモジュールは第二通信インターフェイスによって、第一指令信号或いは第二指令信号を受信し、ＨＩＣモジュールは消費電力検出回路が出力する負荷に対応する電力によって、消費電力調整器の作動状態を制御し、ＨＩＣモジュールが負荷の電力が予め設定された範囲内であると検出した場合、ＨＩＣモジュールは遮断制御信号を消費電力調整器に送信し、消費電力調整器は遮断状態になる。
【０００７】
上記の課題を解決するために、本考案の待機装置は、負荷と、交流入力電源に接続され、且つ遮断状態或いは接続状態で作動する消費電力調整器と、負荷の電力を検出する消費電力検出回路と、ＨＩＣモジュールと、を備え、ＨＩＣモジュールは第一通信インターフェイス及び第二通信インターフェイスを備え、ＨＩＣモジュールは第一通信インターフェイスによって、第一指令信号或いは第二指令信号を受信したかどうかを判断し、第一通信インターフェイスによって第一指令信号或いは第二指令信号を受信していない場合、ＨＩＣモジュールは第二通信インターフェイスによって、第一指令信号或いは第二指令信号を受信し、ＨＩＣモジュールは消費電力検出回路が出力する負荷に対応する電力によって消費電力調整器の作動状態を制御し、ＨＩＣモジュールが負荷の電力が予め設定された範囲内であると検出した場合、ＨＩＣモジュールは遮断制御信号を消費電力調整器に送信し、消費電力調整器は遮断状態になる。
【考案の効果】
【０００８】
本考案の待機回路、待機回路を有するソケット、プラグ及び装置は、本考案の待機回路を有していない家電装置或いは家電商品の消費電力を更に低減し、省エネルギーの効果をもたらす。一方、本考案の待機装置も、上述した消費電力を更に低減し、且つ省エネルギーの効果をもたらす。
【図面の簡単な説明】
【０００９】
【図１】本考案に係る待機回路のブロック図である。
【図２】本考案に係る待機装置の回路図である。
【図３】図１に示した厚膜集積回路モジュールの回路図である。
【図４】本考案に係る待機ソケットと一つの装置との接続を示す図である。
【図５】本考案に係る待機プラグと一つの装置との接続を示す図である。
【考案を実施するための形態】
【００１０】
以下、図面及び実施方式に基づいて、本考案について詳細に説明する。図１及び図２を参照すると、本考案に係る待機回路１０は、一つのＨＩＣ（Ｔｈｉｃｋ Ｆｉｌｍ Ｈｙｂｒｉｄ ＩＣ，厚膜集積回路）モジュール２０、一つの消費電力検出回路７０及び一つの消費電力調整器５０を備える。本考案に係る待機装置９０は待機回路１０及び一つの負荷８０を備える。本実施形態において、待機装置９０は、テレビ、エアコン、扇風機、冷蔵庫、洗濯機、オーディオ装置等の各種の家電機器、オフィス機器中の一種類或いは多種類の装置である。他の実施形態において、待機装置９０は上述の装置に限定されない。待機回路１０は、待機装置９０の電源プラグ或いは該待機装置９０の本体等の部位に設置される。
【００１１】
消費電力調整器５０は交流入力電源との接続に用いられる。消費電力検出回路７０は消費電力調整器５０と負荷８０との間に接続される。本実施形態において、消費電力調整器５０は、遮断状態或いは接続状態で作動するため、消費電力調整器５０の状態によって、負荷８０の電圧への交流入力電源の出力が遮断或いは接続されているかを判断する。消費電力検出回路７０は負荷８０の電力の大きさを検出するのに用いられ、負荷８０に対応する電力をＨＩＣモジュール２０に出力する。
【００１２】
本実施形態において、ＨＩＣモジュール２０は、一つの第一ピン（ピン１）、一つの第二ピン（ピン２）、一つの第三ピン（ピン３）、一つの第四ピン（ピン４）、一つの第五ピン（ピン５）、一つの第六ピン（ピン６）、一つの第七ピン（ピン７）、一つの第八ピン（ピン８）、一つの第九ピン（ピン９）、一つの第十ピン（ピン１０）、一つの第十一ピン（ピン１１）、一つの第十二ピン（ピン１２）、一つの第十三ピン（ピン１３）、一つの第十四ピン（ピン１４）、一つの第十五ピン（ピン１５）及び一つの第十六ピン（ピン１６）を備える。
【００１３】
本実施形態において、消費電力検出回路７０は、一つのカレントトランス（Ｃｕｒｒｅｎｔ Ｔｒａｎｓｆｏｒｍｅｒ）Ｔ１を備える。カレントトランスＴ１の一次巻線は交流入力電源と負荷８０との間に接続され、カレントトランスＴ１の二次巻線の両端はそれぞれＨＩＣモジュール２０のピン１２とピン１３に接続される。これにより、カレントトランスＴ１が交流回路に接続された場合、カレントトランスＴ１の二次巻線は誘導電流を発生し、且つＨＩＣモジュール２０のピン１２及びピン１３（即ち、ＨＩＣモジュール２０の第十二ピン及び第十三ピン）によって、該誘導電流をＨＩＣモジュール２０に出力する。
【００１４】
ＨＩＣモジュール２０は、消費電力検出回路７０が出力した電力によって、負荷８０が設置されている待機装置９０の作動状態（例えば、待機状態或いは動作状態）を判断する。
【００１５】
具体的には、ＨＩＣモジュール２０は、カレントトランスＴ１の二次巻線から出力された誘導電流及び交流入力電源が提供する電圧を受けて、負荷８０の電力を計算する。これによって、負荷８０の作動状態を判断する。例えば、負荷８０の電力が予め設定された範囲内（例えば、１Ｗ〜３Ｗ）である場合、ＨＩＣモジュール２０は待機装置９０が待機状態であると判断し、負荷８０の電力が予め設定された範囲の上限値（例えば、３Ｗ）より大きい場合、ＨＩＣモジュール２０は待機装置９０が動作状態であると判断する。
【００１６】
ＨＩＣモジュール２０は、負荷８０（或いは、待機装置９０）の作動状態によって、消費電力調整器５０の作動状態に対応して消費電力調整器５０の作動状態を制御し、負荷８０（或いは、待機装置９０）が待機状態である場合、ＨＩＣモジュール２０は、消費電力調整器５０が遮断状態になるように制御して負荷８０に伝送される交流電力を遮断して、省エネルギーの効果をもたらす。
【００１７】
具体的には、負荷８０が既存の待機消費電力である１Ｗ〜３Ｗ内である場合、負荷８０が正常に動作する場合の消費電力より小さくなり、ＨＩＣモジュール２０は、消費電力調整器５０に遮断制御信号を送信して消費電力調整器５０の遮断状態を制御し、負荷８０の既存の待機消費電力を１Ｗ〜３Ｗから０．１Ｗに等しい或いは０．１Ｗ以下まで減少させて、省エネルギーの効果をもたらす。本実施形態において、ＨＩＣモジュール２０、消費電力検出回路７０、負荷８０及び消費電力調整器５０は、それぞれ一つの家電商品、オフィス機器内、例えば、テレビ、エアコン、扇風機、冷蔵庫、洗濯機、オーディオ装置等の各種の家電機器、オフィス機器内に設置される。
【００１８】
本実施形態において、待機回路１０は、赤外線受信機（Ｉｎｆｒａｒｅｄ Ｒｅｃｅｉｖｅ Ｍｏｄｕｌｅ，ＩＲＭ）３０及び赤外線発射機３００を備える。ＨＩＣモジュール２０のピン５〜７（即ち、ＨＩＣモジュール２０の第五ピン〜第七ピンによって構成された第一通信インターフェイス）は、赤外線受信機３０に接続される。ＨＩＣモジュール２０は、赤外線受信機３０によって、ユーザが出力した負荷８０の作動状態を制御するための複数の指令信号を受信し、ユーザはリモコンによって、「パワーオン」の第一指令信号、或いは「パワーオフ」の第二指令信号を出力する。他の実施形態において、ＨＩＣモジュール２０は、他の種類の通信インターフェイス、例えば、Ｗｉ−Ｆｉ（登録商標）、或いはＺｉｇｂｅｅ（登録商標）の通信インターフェイスによって、ユーザが出力した第一指令信号、第二指令信号、或いは他の指令信号を受信する。ＨＩＣモジュール２０は、赤外線発射機３００によって、赤外線信号を送信している。待機回路１０は更に外部赤外線受信機６０を備える。ＨＩＣモジュール２０のピン１４、ピン１５、ピン１６（即ち、ＨＩＣモジュール２０の第十四ピン、第十五ピン、第十六ピンによって構成された第二通信インターフェイス）は、外部赤外線受信機６０に接続される。本実施形態において、ＨＩＣモジュール２０は、赤外線受信機３０によってユーザが出力した指令信号を受信する。即ち、ＨＩＣモジュール２０は、赤外線受信機３０によってリモコンと通信しているかどうかを判断する。ＨＩＣモジュール２０が赤外線受信機３０によってリモコンと通信できない場合、ユーザは、外部赤外線受信機６０を待機回路１０に接続させて、ＨＩＣモジュール２０に引き続き外部赤外線受信機６０を介してリモコンと通信させて、ユーザが出力した指令信号を実行する。つまり、待機回路１０の赤外線受信機３０が位置する位置に、複数の指令信号の受信を邪魔する障害が存在する場合、外部赤外線受信機６０によって複数の信号を受信して、待機回路１０を正常に動作させる。
【００１９】
ＨＩＣモジュール２０はユーザが出力した「パワーオフ」指令信号を受信した場合、ＨＩＣモジュール２０は消費電力検出回路７０によって、負荷８０がパワーオフ状態かどうかを判断する。即ち、負荷８０の電力が予め設定された範囲内（即ち、１Ｗ〜３Ｗ）にあるかどうかを判断する。
【００２０】
負荷８０の電力が予め設定された範囲の上限値より大きい場合、ＨＩＣモジュール２０は第一予め設定された時間を遅延した後、遮断制御信号を消費電力調整器５０に送信して消費電力調整器５０の制御状態を制御する。例えば、負荷８０は、第一予め設定された時間内において家電商品自身のシステムに基づいてパワーオフの動作を行う。
【００２１】
ユーザが出力した「パワーオン」指令信号を受信した場合、ＨＩＣモジュール２０は、接続制御信号を消費電力調整器５０に送信して消費電力調整器５０の接続状態を制御し、負荷８０は交流入力電源を取得し、且つ回復して正常の動作を実行する。
【００２２】
また、ＨＩＣモジュール２０は、「パワーオン」指令信号を受信した際の第二予め設定された時間後に、消費電力検出回路７０によって負荷８０の電力を取得し、且つ負荷８０の消費電力が予め設定された範囲の上限値より大きいかどうかを判断し、負荷８０の消費電力が予め設定された範囲の上限値より大きい場合、負荷８０は正常に作動していることを示し、負荷８０の消費電力が予め設定された範囲内である場合、負荷８０の作動に異常が発生していることを示し、この際、ＨＩＣモジュール２０は、負荷８０の作動の異常に対応する警報情報を発信する。
【００２３】
具体的には、消費電力調整器５０は、双方向サイリスタＢＣＲ及びＲＣ回路５００を備える。双方向サイリスタＢＣＲの第一陽極Ａ１及び第二陽極Ａ２は交流回路に接続され、双方向サイリスタＢＣＲの制御電極Ｇは、ＨＩＣモジュール２０のピン３（即ち、ＨＩＣモジュール２０の第三ピン）に接続され、ＨＩＣモジュール２０はピン３によって、双方向サイリスタＢＣＲの「パワーオン」動作を制御する。ＨＩＣモジュール２０が出力した遮断制御信号を受信した場合、双方向サイリスタＢＣＲは遮断状態であり、ＨＩＣモジュール２０が接続制御信号を送信した場合、双方向サイリスタＢＣＲは接続状態となる。
【００２４】
本実施形態において、ＲＣ回路５００は周波数を制限することができる。ＲＣ回路５００は抵抗Ｒ１及び静電容量Ｃ１を備え、抵抗Ｒ１と静電容量Ｃ１とは直列に接続され、且つ双方向サイリスタＢＣＲの第一陽極Ａ１及び第二陽極Ａ２に並列に接続される。この際、抵抗Ｒ１は、ＨＩＣモジュール２０のピン２（即ち、ＨＩＣモジュール２０の第二ピン）に接続され、静電容量Ｃ１は、ＨＩＣモジュール２０のピン４（即ち、ＨＩＣモジュール２０の第四ピン）に接続される。他の実施形態において、消費電力調整器５０中のＲＣ回路５００は省略してもよい。
【００２５】
ＨＩＣモジュール２０のピン８及びピン９（即ち、ＨＩＣモジュール２０の第八ピン及び第九ピン）はスイッチＳに接続され、スイッチＳは、ＨＩＣモジュール２０に対してリセット操作を行う。ＨＩＣモジュール２０のピン１０及びピン１１（即ち、ＨＩＣモジュール２０の第十ピン及び第十一ピン）は、赤外線発射機３００の両端に接続される。ＨＩＣモジュール２０は、赤外線発射機３００によって、赤外線信号を延期して送信し、例えば、待機装置９０の使用状態の制御信号に対応して、赤外線信号を延期して送信している。
【００２６】
本実施形態において、待機回路１０は更に安全装置Ｆを備え、安全装置Ｆは電源入力電源上に設置されて負荷８０を保護する。本実施形態において、安全装置Ｆはヒューズであり、且つ回路入力電源の送電線に設置される。
【００２７】
図１及び図３を併せて参照すると、ＨＩＣモジュール２０は、ＭＣＵ主制御部２０４、電圧調整回路２００、ゲート回路２０２及び隔離電源回路２０６を備える。
【００２８】
ＭＣＵ主制御部２０４はＨＩＣモジュール２０の重要部分であり、内部に設置されたプログラムの実行によって、計算、対比及び分析を行って、回路中の各機器のスイッチ動作を制御して、最終的に回路に超低消費電力の待機機能を実現させる。ＭＣＵ主制御部２０４は、第一〜第十四ピン、即ち、ピン２１〜３４（図示せず）を備える。
【００２９】
ＭＣＵ主制御部２０４の三つの入力ポートに対応するピン２１〜ピン２３（即ち、ＭＣＵ主制御部２０４の第一ピン〜第三ピン）は、それぞれＨＩＣモジュール２０のピン５、ピン６、ピン７に接続されて、赤外線受信機３０が発信した赤外線信号を受信する。
【００３０】
ＭＣＵ主制御部２０４の二つの接続ポートに対応するピン２４及びピン２５（即ち、ＭＣＵ主制御部２０４の第四ピン及び第五ピン）は、それぞれＨＩＣモジュール２０のピン８とピン９に接続され、スイッチＳはＭＣＵ主制御部２０４に対してリセット操作を行う。
【００３１】
ＭＣＵ主制御部２０４のピン２６（即ち、ＭＣＵ主制御部２０４の第六ピン）は、保護抵抗Ｒ２（図示せず）によって、ＨＩＣモジュール２０のピン１０に接続されて、赤外線発射機３００の第一端部に接続され、ＭＣＵ主制御部２０４のピン３４（即ち、ＭＣＵ主制御部２０４の第十四ピン）は、赤外線発射機３００の第二端部に接続され、即ち、ＭＣＵ主制御部２０４の二つの接続ポートに対応するピン２６及びピン３４は、赤外線発射機３００に接続されて、信号の延期送信の機能を実現する。隔離電源回路２０６の第一端部及び第二端部は、それぞれＨＩＣモジュール２０のピン１及びピン２に接続して、交流出力電源のゼロ線、送電線に接続される。隔離電源回路２０６は、交流入力電源の交流電流を直流電流に切り替え、且つ切り替えた後、直流電流を電圧調整回路２００に出力する。電圧調整回路２００は、隔離電源回路２０６が出力した直流電流に対して、電圧調整を行い、且つ電圧調整の操作を行った後の電圧調整電源をゲート回路２０２及びＭＣＵ主制御部２０４に出力して、ゲート回路２０２及びＭＣＵ主制御部２０４に作動電圧を供給する。
【００３２】
ＭＣＵ主制御部２０４のピン２７（即ち、ＭＣＵ主制御部２０４の第七ピン）は、ダイオードＤ１及び抵抗Ｒ３（図示せず）によって、ＨＩＣモジュール２０のピン１２に接続され、抵抗Ｒ３及びダイオードＤ１の接続点は、静電容量Ｃ２によって、ＨＩＣモジュール２０のピン１３に接続され、カレントトランスＴ１が出力した誘導電流を受信して、ＨＩＣモジュール２０のピン１２及びピン１３に給電する。
【００３３】
ＭＣＵ主制御部２０４のピン２８（即ち、ＭＣＵ主制御部２０４の第八ピン）は、電圧調整回路２００に接続されて、電圧調整回路２００に操作信号を出力する。ＭＣＵ主制御部２０４の作動モードがスリープモードから動作モードに切り替える場合、ＭＣＵ主制御部２０４は、ピン２８によって、第一操作信号を出力する。この際、電圧調整回路２００は、隔離電源回路２０６が出力した直流電源に対応して、電圧調整の操作を行い、且つＭＣＵ主制御部２０４が作動する際に対応する電圧調整電源を供給する。ＭＣＵ主制御部２０４の作動モードが動作モードからスリープモードに切り替える場合、ＭＣＵ主制御部２０４は、ピン２８によって、第二操作信号を出力する。この際、電圧調整回路２００は、隔離電源回路２０６が出力した直流電源に対応して、電圧調整の操作を行い、且つＭＣＵ主制御部２０４がスリープする際に対応する電圧調整電源を供給する。
【００３４】
ＭＣＵ主制御部２０４のピン２９（即ち、ＭＣＵ主制御部２０４の第九ピン）はゲート回路２０２に接続されて、制御信号をゲート回路２０２に提供する。ゲート回路２０２はスイッチ制御機器であって、消費電力調整器５０の作動状態を触発、例えば、遮断状態或いは接続状態を触発する。また、ＭＣＵ主制御部２０４は、更に抵抗Ｒ３及び静電容量Ｃ２（図示せず）によってアースする。ＭＣＵ主制御部２０４のピン３０（即ち、ＭＣＵ主制御部２０４の第十ピン）は、電圧調整回路２００が出力した電圧調整電源を受け取る。
【００３５】
ＭＣＵ主制御部２０４のピン３１、ピン３２、ピン３３（即ち、ＭＣＵ主制御部２０４の第十一ピン、第十二ピン、第十三ピン，図示せず）は外部赤外線受信機６０に接続されて、ユーザが外部赤外線受信機６０によって送信した信号を受信する。
【００３６】
本実施形態において、ＭＣＵ主制御部２０４は、スリープモード或いは動作モード下で作動し、ＨＩＣモジュール２０も対応してスリープモード或いは動作モード下で作動する。
【００３７】
例えば、ＭＣＵ主制御部２０４はユーザが出力した「パワーオフ」指令信号を受信した場合、ＭＣＵ主制御部２０４は、双方向サイリスタＢＣＲを遮断状態になるように制御して、自身はスリープモードになる（即ち、ＨＩＣモジュール２０もスリープモードになる）。この際、ＭＣＵ主制御部２０４の消費電力は更に低減されて、システムに対して更に省エネルギーの効果をもたらす。
【００３８】
ＭＣＵ主制御部２０４はユーザが出力した「パワーオン」指令信号を受信した場合、ＭＣＵ主制御部２０４はスリープモードから動作モードになり（即ち、ＨＩＣモジュール２０もスリープモードから動作モードになる）、且つ双方向サイリスタＢＣＲを接続状態になるように制御し、負荷８０は交流入力電源を取得し、且つ正常の動作まで回復する。
【００３９】
具体的には、動作モード中において、ＭＣＵ主制御部２０４がピン２１〜ピン２３、或いはピン３１〜ピン３３によって「パワーオン」指令信号を受信した場合、ＭＣＵ主制御部２０４は、スリープモードから動作モードになる。
ＭＣＵ主制御部２０４は、ピン２８によって第一操作信号を電圧調整回路２００に送信し、電圧調整回路２００が操作信号を受信する際、隔離電源回路２０６によって、直流電流を取得し、且つ直流電流に対応して電圧調整操作を行った後取得した電圧調整電源を出力する。したがって、ＭＣＵ主制御部２０４のピン３０（ＭＣＵ主制御部２０４の第十ピン）によってＭＣＵ主制御部２０４に始動電流を提供し、この際、電圧調整回路２００もゲート回路２０２に該始動電流を提供する。
【００４０】
始動電流は、ＭＣＵ主制御部２０４に数ミリ秒間、例えば、１ミリ秒〜１０ミリ秒間続けて提供される。ＭＣＵ主制御部２０４はピン２９によって、制御信号をゲート回路２０２に提供し、消費電力調整器５０を接続状態に切り替える。消費電力調整器５０が接続状態に切り替わると、負荷８０は交流電源を取得して動作が開始され、電圧調整回路２００が電圧調整した電源をＨＩＣモジュール２０に持続的に給電し、待機回路１０は正常な動作が維持される。ＨＩＣモジュール２０が電圧調整電源を取得した後、電圧調整回路２００はスリープモードになる。
【００４１】
図４に示したように、本考案の待機ソケット１００の最適な実施形態において、導電接続部１１０及び複数のソケットユニット１０８を備える。導電接続部１１０は、交流入力電源を入力し、且つ各ソケットユニット１０８に接続されて、各ソケットユニット１０８と並列に接続されて給電する。各ソケットユニット１０８は、待機回路１０６、複数の導電片１０２及びソケット孔１０４を備える。ソケットユニット１０８の導電片１０２は、導電接続部１１０と結合し、待機回路１０６は、導電接続部１１０と導電片１０２との間に設置される。家電装置９０７（該家電装置９０７は、待機回路を有していない商品である）は、ソケットユニット１０８のソケット孔１０４によって導電片１０２と結合して作動電圧を取得する。本実施形態において、待機ソケット１００内の待機回路１０６は、待機回路１０の機能及び素子の接続関係と同じであるため、ここでの説明は省略する。待機ソケット１００は内部に設置された待機回路１０６によって家電装置９０７に出力する電力を調整して省エネルギーの効果をもたらす。本実施形態において、本考案の待機ソケット１００中の複数のソケットユニット１０８は、一つ或いは複数であり、且つ待機ソケット１００を建物の壁に設置して、本考案の待機回路１０の機能を有していない従来のソケットに取り替えることができる。他の実施形態において、本考案の待機ソケット１００中の導電接続部１１０は、導線（図示せず）によって各ソケットユニット１０８に接続されて一つのテーブルタップを構成する。他の実施形態において、本考案の待機ソケット１００中の導電接続部１１０は、ソケットユニット１０８と共にケース（図示せず）内に収容されてパワーアダプターを形成し、他の家電装置９０７はこのパワーアダプターによって作動電圧を取得する。
【００４２】
このように、異なる応用状況の商品タイプと設計において、本考案の待機ソケット１００を使用した場合、本考案の待機回路１０を有していない従来の家電装置９０７或いは他の商品は、この本考案の待機ソケット１００と結合するだけで待機回路機能を実現でき、家電装置９０７を改造する必要がない。即ち本考案の待機回路１０によって、家電装置９０７或いは他の商品の待機の消費電力を低減して、省エネルギーの効果をもたらす。
【００４３】
図５に示したように、本考案の待機プラグ３０７の最適な実施形態において、待機回路３０２及び複数の導電端子３０４を備える。本実施形態において、待機回路３０２は、待機回路１０の機能及び素子の接続関係と同じであるため、ここでの説明は省略する。
【００４４】
本実施形態において、複数の導電端子３０４は、ソケット孔（本考案の待機ソケットに限定されない）内に挿し込まれ、複数の導電端子３０４の数量は、具体的な要求によって決定される。待機プラグ３０７に対応するソケット孔のタイプが二つの接続口を有する場合、待機プラグ３０７は、二つの導電端子３０４（この際、待機プラグ３０７は、ゼロ線導電端子及び送電線導電端子を備え、安全装置Ｆは、送電線導電端子によって交流入力電源の送電線に接続され、消費電力調整器５０は、ゼロ線導電端子によって交流入力電源のゼロ線に接続される）を備える。待機プラグ３０７に対応するソケット孔のタイプが三つの接続口を有する場合、待機プラグ３０７は、三つの導電端子３０４（この際、待機プラグ３０７は、ゼロ線導電端子、送電線導電端子及びアース導電端子を備え、安全装置Ｆは送電線導電端子によって交流入力電源の送電線に接続され、消費電力調整器５０はゼロ線導電端子によって交流入力電源のゼロ線に接続され、アース導電端子は家電装置９０７の静電気防止の構造に接続される）を備える。待機プラグ３０７の導電端子３０４は、家電装置９０７と結合して家電装置９０７に電圧を提供する。本考案の待機ソケット１００の設計原理と同じく、異なる応用状況の商品タイプと設計において本考案の待機プラグ３０７は、本考案の待機回路１０を有していない従来の家電装置９０７或いは他の商品に対して、待機ソケット１００と結合するだけで待機回路機能を実現でき、家電装置９０７を改造する必要がない。即ち、本考案の待機回路１０によって、家電装置９０７或いは他の商品の待機の消費電力を低減して、省エネルギーの効果をもたらす。
【００４５】
複数回にわたる試験及び使用で得られた効果を見ると、家電商品の元の待機消費電力は１Ｗ〜３Ｗであるが、待機回路を有する待機ソケット或いは待機プラグを使用した後、或いは待機回路によって家電商品を改造してその家電商品が待機装置になった後に待機消費電力を見ると、０．０４Ｗ〜０．０８Ｗと待機の消費電力は大きく低減されている。つまり、省エネルギーの効果をもたらす。
【符号の説明】
【００４６】
１０、１０６、３０２  待機回路
２０  ＨＩＣモジュール
３０  赤外線受信機
５０  消費電力調整器
６０  外部赤外線受信機
７０  消費電力検出回路
８０  負荷
９０  待機装置
１００  待機ソケット
１０２  導電片
１０４  ソケット孔
１０８  ソケットユニット
１１０  導電接続部
２００  電圧調整回路
２０２  ゲート回路
２０４  ＭＣＵ主制御部
３００  赤外線発射機
３０４  導電端子
５００  ＲＣ回路
９０７  家電装置
ＢＣＲ  双方向サイリスタ
１〜１４  ＨＩＣモジュール
２０のピン
Ａ１  第一陽極
Ａ２  第二陽極
Ｃ１  静電容量
Ｆ  安全装置
Ｇ  制御電極
Ｒ１  抵抗
Ｓ  スイッチ
Ｔ１    カレントトランス
【図１】
0003211607.tif 000003
【図２】
0003211607.tif 000004
【図３】
0003211607.tif 000005
【図４】
0003211607.tif 000006
【図５】
0003211607.tif 000007